(57)【特許請求の範囲】
【請求項１】
現在の位置情報を所定の監視処理を行う監視センタに送信する携帯端末において、
利用者により操作されるスイッチ部と、
前記スイッチ部の操作を受け付けたか否かを判断する操作判断手段と、
前記スイッチ部の操作を受け付け、かつ前記携帯端末に内部電源からの電力の供給が停止されている場合、前記携帯端末に前記内部電源からの電力の供給を開始する電力制御手段と、
前記携帯端末に前記内部電源からの電力が供給されている場合、前記携帯端末に外部電源から充電を行う電源装置が接続されているか否かを判断する接続判断手段と、
前記携帯端末に前記内部電源からの電力が供給されており、かつ前記携帯端末に前記電源装置が接続されていない場合において、前記スイッチ部の操作を受け付けた場合、異常が発生した旨を前記監視センタに通報する通信手段と、を備え、
前記電力制御手段は、前記携帯端末に前記内部電源からの電力が供給されており、かつ前記携帯端末に前記電源装置が接続されている場合において、前記スイッチ部の操作を受け付けた場合、前記携帯端末に前記内部電源からの電力の供給を停止することを特徴とする携帯端末。
【請求項２】
前記携帯端末に前記内部電源からの電力の供給が開始された場合、前記携帯端末の状態を定めた設定モードを、前記携帯端末に前記内部電源からの電力の供給が停止されている状態を示す停止モードから、前記携帯端末に前記内部電源からの電力が供給されている状態を示す待機モードに切替えて設定する設定手段をさらに備えることを特徴とする請求項１に記載の携帯端末。
【請求項３】
前記設定手段は、さらに、前記携帯端末に前記内部電源からの電力が供給されており、かつ前記携帯端末に前記電源装置が接続されていない場合、前記設定モードを、前記待機モードから、前記位置情報を前記監視センタに送信する状態を示す測位モードに切替えて設定することを特徴とする請求項２に記載の携帯端末。
【請求項４】
前記設定手段は、さらに、前記携帯端末に前記内部電源からの電力の供給が停止された場合、前記設定モードを、前記待機モードから前記停止モードに切替えて設定することを特徴とする請求項３に記載の携帯端末。
【請求項５】
現在の位置情報を所定の監視処理を行う監視センタに送信する携帯端末で実行される受付操作処理方法において、
前記携帯端末は、利用者により操作されるスイッチ部を備え、
前記スイッチ部の操作を受け付けたか否かを判断する操作判断ステップと、
前記スイッチ部の操作を受け付け、かつ前記携帯端末に内部電源からの電力の供給が停止されている場合、前記携帯端末に前記内部電源からの電力の供給を開始する電力制御ステップと、
前記携帯端末に前記内部電源からの電力が供給されている場合、前記携帯端末に外部電源から充電を行う電源装置が接続されているか否かを判断する接続判断ステップと、
前記携帯端末に前記内部電源からの電力が供給されており、かつ前記携帯端末に前記電源装置が接続されていない場合において、前記スイッチ部の操作を受け付けた場合、異常が発生した旨を前記監視センタに通報する通信ステップと、を含み、
前記電力制御ステップは、前記携帯端末に前記内部電源からの電力が供給されており、かつ前記携帯端末に前記電源装置が接続されている場合において、前記スイッチ部の操作を受け付けた場合、前記携帯端末に前記内部電源からの電力の供給を停止することを特徴とする受付操作処理方法。
【発明の詳細な説明】
【技術分野】
【０００１】
本発明は、現在の位置情報を所定の監視処理を行う監視センタに送信する携帯端末および受付操作処理方法に関するものであり、特に、該携帯端末を携帯する利用者からの該携帯端末への操作に対する処理に関する。
【背景技術】
【０００２】
従来、携帯端末における非常ボタンが操作されると、該携帯端末を所持している利用者の現在位置を取得し、取得した位置情報を所定の監視処理を行う監視センタ等に送信する技術が開示されている（例えば、特許文献１参照）。特許文献１では、携帯端末に稼動状態と非稼動状態とを切り替えるための電源スイッチと、非常時にその旨を通報する非常ボタンとが設けられている。そして、利用者により携帯端末の非常ボタンが操作されると、現在の位置情報をセンタ装置（監視センタ）に送信する。また、この非常ボタンの操作がされた後は、電源スイッチを操作しても携帯端末が非稼動状態に切り替わることが停止される。
【０００３】
【特許文献１】特開２００２−２０９２４８号公報
【発明の開示】
【発明が解決しようとする課題】
【０００４】
しかしながら、上述した特許文献１における携帯端末には、電源スイッチと非常ボタン（非常スイッチ）との２つのスイッチが設けられているため、緊急時に誤って非常スイッチではなく電源スイッチを操作してしまい、非常時である旨の通報が遅れたり、該通報ができない場合があった。
【０００５】
また、特許文献１における携帯端末では、携帯端末の利用者が悪意を有する者に襲われた場合などに、利用者が非常スイッチを操作する前に、該悪意を有する者により電源スイッチを操作されてしまうと、携帯端末への電力の供給が停止してしまい、携帯端末から監視センタへ上記通報や位置情報を送信することができなくなってしまう場合があった。さらに、特許文献１における携帯端末では、電源スイッチと非常スイッチとの２つのスイッチを設けているため、携帯端末の部品数が増えて製造コストが増加してしまう。
【０００６】
本発明は、上記に鑑みてなされたものであって、電力供給の開始および停止と異常が発生した旨の通報とを一つのスイッチ部により行うことで、利用者の誤操作を防止するとともに、非常時に電力供給が停止されることがなく、製造コストを軽減できる携帯端末および受付操作処理方法を提供することを目的とする。
【課題を解決するための手段】
【０００７】
上述した課題を解決し、目的を達成するために、請求項１にかかる発明は、現在の位置情報を所定の監視処理を行う監視センタに送信する携帯端末において、利用者により操作されるスイッチ部と、前記スイッチ部の操作を受け付けたか否かを判断する操作判断手段と、前記スイッチ部の操作を受け付け、かつ前記携帯端末に内部電源からの電力の供給が停止されている場合、前記携帯端末に前記内部電源からの電力の供給を開始する電力制御手段と、前記携帯端末に前記内部電源からの電力が供給されている場合、前記携帯端末に外部電源から充電を行う電源装置が接続されているか否かを判断する接続判断手段と、前記携帯端末に前記内部電源からの電力が供給されており、かつ前記携帯端末に前記電源装置が接続されていない場合において、前記スイッチ部の操作を受け付けた場合、異常が発生した旨を前記監視センタに通報する通信手段と、を備え、前記電力制御手段は、前記携帯端末に前記内部電源からの電力が供給されており、かつ前記携帯端末に前記電源装置が接続されている場合において、前記スイッチ部の操作を受け付けた場合、前記携帯端末に前記内部電源からの電力の供給を停止することを特徴とする。
【０００８】
また、請求項２にかかる発明は、請求項１に記載の携帯端末において、前記携帯端末に前記内部電源からの電力の供給が開始された場合、前記携帯端末の状態を定めた設定モードを、前記携帯端末に前記内部電源からの電力の供給が停止されている状態を示す停止モードから、前記携帯端末に前記内部電源からの電力が供給されている状態を示す待機モードに切替えて設定する設定手段をさらに備えることを特徴とする。
【０００９】
また、請求項３にかかる発明は、請求項２に記載の携帯端末において、前記設定手段は、さらに、前記携帯端末に前記内部電源からの電力が供給されており、かつ前記携帯端末に前記電源装置が接続されていない場合、前記設定モードを、前記待機モードから、前記位置情報を前記監視センタに送信する状態を示す測位モードに切替えて設定することを特徴とする。
【００１０】
また、請求項４にかかる発明は、請求項３に記載の携帯端末において、前記設定手段は、さらに、前記携帯端末に前記内部電源からの電力の供給が停止された場合、前記設定モードを、前記待機モードから前記停止モードに切替えて設定することを特徴とする。
【００１１】
また、請求項５にかかる発明は、現在の位置情報を所定の監視処理を行う監視センタに送信する携帯端末で実行される受付操作処理方法において、前記携帯端末は、利用者により操作されるスイッチ部を備え、前記スイッチ部の操作を受け付けたか否かを判断する操作判断ステップと、前記スイッチ部の操作を受け付け、かつ前記携帯端末に内部電源からの電力の供給が停止されている場合、前記携帯端末に前記内部電源からの電力の供給を開始する電力制御ステップと、前記携帯端末に前記内部電源からの電力が供給されている場合、前記携帯端末に外部電源から充電を行う電源装置が接続されているか否かを判断する接続判断ステップと、前記携帯端末に前記内部電源からの電力が供給されており、かつ前記携帯端末に前記電源装置が接続されていない場合において、前記スイッチ部の操作を受け付けた場合、異常が発生した旨を前記監視センタに通報する通信ステップと、を含み、前記電力制御ステップは、前記携帯端末に前記内部電源からの電力が供給されており、かつ前記携帯端末に前記電源装置が接続されている場合において、前記スイッチ部の操作を受け付けた場合、前記携帯端末に前記内部電源からの電力の供給を停止することを特徴とする。
【発明の効果】
【００１２】
本発明によれば、電力供給の開始および停止と異常が発生した旨の通報とを一つのスイッチ部により行うことで、利用者の誤操作を防止するとともに、非常時に電力供給が停止されることがなく、製造コストを軽減できるという効果を奏する。
【発明を実施するための最良の形態】
【００１３】
以下に添付図面を参照して、この発明にかかる携帯端末および受付操作処理方法の最良な実施の形態を詳細に説明する。本実施の形態の携帯端末は、貨物に搭載され、搭載された貨物の位置情報を測位して、測位した位置情報を所定の監視処理を行う監視センタに送信する貨物搭載用端末であり、貨物を警備する貨物警備システムで利用されるものである。本実施の形態では、まず、貨物警備システムの概要を説明し（図１参照）、さらに、該貨物搭載用端末を、貨物に搭載して利用せず、人が携帯して利用する場合について説明する（図２−１以降参照）。なお、本実施の形態では、貨物に搭載される貨物搭載用端末を人が携帯した場合について説明しているが、これに限定されるものではない。すなわち、貨物搭載用端末は、貨物に搭載されるものではなくとも、人が携帯可能な端末であればよい。
【００１４】
図１は、実施の形態にかかる貨物搭載用端末を利用した貨物警備システムの概要図である。図１では、本実施の形態における貨物警備システムにおいて、警備対象となる貨物が、その集配から配達までの間（以下、警備対象区間と呼ぶ。）に警備される様子を示している。貨物Ｃには貨物の警備を行うための貨物搭載用端末１００が同梱され、貨物Ｃの積荷を梱包するダンボール等の梱包材の表面には、その貨物Ｃの宛先や伝票番号、貨物搭載用端末１００の端末ＩＤ（IDentification）等の積荷情報が記載されたラベルＴが付されている。
【００１５】
まず、荷主Ｓは、輸送対象となる積荷と貨物搭載用端末１００とを上述した梱包材により梱包した貨物Ｃ（以下、警備対象貨物と呼ぶ。）を、宅配業者に引き渡す。すると、宅配業者は携帯型のＰＯＳ（Point  Of  Sales  system）端末等で構成される携帯型読取端末５００を用いて、警備対象貨物の集荷を開始する旨を監視センタ４００に通知し、監視センタ４００において警備対象貨物の警備が開始される。その後、宅配業者は宅配車両Ｖにより警備対象貨物を届け先Ｒまで配達する。車両Ｖは、配達途中で発・着の準拠店ＳＢや発・着の主要拠点ＭＢを経由するが、宅配業者はこれらの拠点を経由するタイミングで、到着時刻や出発時刻等を宅配業者の伝票計上サーバ（不図示）に送信する。尚、主要拠点ＭＢ間の輸送は、航空機Ａや列車Ｔ等の車両Ｖ以外の交通手段によって貨物輸送が行われるが、この区間も警備対象区間に含まれる。
【００１６】
一方、上述のように監視センタ４００による警備が開始されると、警備対象貨物に同梱された貨物搭載用端末１００は、ＧＰＳ（Global  Positioning  System）等を用いて定期的に現在の位置情報を測位して、監視センタ４００に通知する。また、貨物搭載用端末１００は、電源停止等の異常が生じた場合には、その異常通報を位置情報と共に監視センタ４００に送信する。その後、宅配業者が警備対象貨物を届け先Ｒに配達すると、宅配業者は上述した携帯型読取端末５００を用いて、警備対象貨物の配達が完了した旨を監視センタ４００に通知し、監視センタ４００は警備対象貨物の警備を終了させる。このように、警備対象区間において、警備対象貨物に同梱された警備搭載用端末が位置情報や異常通報を監視センタ４００に送信することによって警備対象貨物の警備を行っている。
【００１７】
次に、貨物搭載用端末１００を、貨物に搭載して利用せずに、人が携帯して利用する場合について説明する。図２−１は、実施の形態にかかる貨物搭載用端末の正面図である。図２−２は、実施の形態にかかる貨物搭載用端末の側面図である。貨物搭載用端末１００は、現在の位置情報（貨物搭載用端末１００を携帯する利用者の現在の位置情報）を取得する測位処理を行って、取得した位置情報を、所定の監視処理を行う監視センタ４００に定期的に送信するものである。なお、位置情報の送信は、監視センタの要請があったときのみ行なう構成としてもよい。
【００１８】
図２−１、図２−２に示すように、貨物搭載用端末１００は、略直方体で形成されており、側面には、貨物搭載用端末１００に外部電源から充電を行うためのＡＣアダプタが接続される充電ジャックと、利用者により操作されるスライドスイッチ１０１とが設けられている。
【００１９】
図３は、実施の形態にかかる貨物搭載用端末のハードウェア構成図である。図３に示すように、貨物搭載用端末１００は、スライドスイッチ１０１と、充電ジャック１０２と、バッテリー１５０と、電源回路１１０と、充電回路１２０と、ＲＡＭ（Random Access Memory）１３０と、ＲＯＭ（Read Only Memory）１４０と、ＣＰＵ（Central Processing Unit）１６０とを主に備えている。
【００２０】
スライドスイッチ１０１は、貨物搭載用端末１００を携帯している利用者により操作されるものであり、該操作を受け付けた場合、貨物搭載用端末１００で種々の処理が実行される。スライドスイッチ１０１は、利用者の指などにより約１秒間スライド状態が保持されることで利用者からの操作を受け付ける。また、スライドスイッチ１０１は、利用者による操作が終了し、利用者の指などが離れるとスライド状態が解除され、スライドした分だけ戻るようになっている。
【００２１】
充電ジャック１０２は、貨物搭載用端末１００に外部電源から充電を行うためのＡＣアダプタ３００が接続される部位である。なお、ＡＣアダプタ３００は、貨物搭載用端末１００と接続された端部と反対の端部がコンセントに接続され、ＡＣ１００Ｖの電力を貨物搭載用端末１００に送電することができる。
【００２２】
バッテリー１５０は、貨物搭載用端末１００が外部電源から受電した電力（充電電力）を蓄積するものである。
【００２３】
電源回路１１０は、電力変換器などによりバッテリー１５０に蓄積された電力を、貨物搭載用端末１００の各構成部に供給または停止するものである。
【００２４】
充電回路１２０は、ＡＣアダプタ３００から受電した電力を充電電力としてバッテリー１５０に蓄積するものである。
【００２５】
ＲＡＭ１３０は、ＣＰＵ１６０によりプログラムを実行するために利用される揮発性メモリである。また、本実施の形態において、ＲＡＭ１３０は、貨物搭載用端末１００の状態を定めた設定モードを一時的に記憶する。
【００２６】
ＲＯＭ１４０は、貨物搭載用端末１００で実行される受付操作処理プログラムを予め格納している。
【００２７】
ＣＰＵ１６０は、ＲＯＭ１４０に格納された受付操作処理プログラム等を実行するものである。
【００２８】
図４は、実施の形態にかかる貨物搭載用端末の構成を示す機能ブロック図である。図４に示すように、貨物搭載用端末１００は、操作判断部２１０と、接続判断部２３０と、電力制御部２２０と、通信部２４０と、設定部２５０とを主に備えている。
【００２９】
本実施の形態の貨物搭載用端末１００では、ＣＰＵ１６０がＲＯＭ１４０から受付操作処理プログラムを読み出して実行することにより上記各部がＲＡＭ１３０等の主記憶装置上にロードされ、操作判断部２１０、電力制御部２２０、接続判断部２３０、通信部２４０、設定部２５０が主記憶装置上に生成されるようになっている。受付操作処理プログラムは、上述した各部（操作判断部２１０、電力制御部２２０、接続判断部２３０、通信部２４０、設定部２５０）を含むモジュール構成となっている。
【００３０】
操作判断部２１０は、スライドスイッチ１０１の操作を受け付けたか否かを判断するものである。具体的には、利用者によりスライドスイッチ１０１がスライド状態に保持された場合に、その旨の信号を受信すると、スライドスイッチ１０１の操作を受け付けたと判断する。
【００３１】
接続判断部２３０は、貨物搭載用端末１００の各構成部にバッテリー１５０からの電力が供給されている場合、貨物搭載用端末１００にＡＣアダプタ３００が充電ジャック１０２に接続されているか否かを判断するものである。具体的には、充電ジャック１０２にＡＣアダプタ３００が差し込まれた場合に、その旨の信号を受信し、ＡＣアダプタ３００が接続されたと判断する。
【００３２】
電力制御部２２０は、操作判断部２１０によりスライドスイッチ１０１からの操作を受け付けたと判断された場合で、かつ貨物搭載用端末１００にバッテリー１５０からの電力の供給が停止されている場合（後述する停止モードに設定されている場合）、貨物搭載用端末１００にバッテリー１５０からの電力の供給を開始する旨の指示を電源回路１１０に送出するものである（この場合、後述する待機モードに設定される）。
【００３３】
また、電力制御部２２０は、電源回路１１０により貨物搭載用端末１００にバッテリー１５０からの電力が供給されており、かつ接続判断部２３０により貨物搭載用端末１００の充電ジャック１０２にＡＣアダプタ３００が接続されていると判断された場合（後述する待機モードに設定されている場合）において、操作判断部２１０によりスライドスイッチ１０１の操作を受け付けたと判断された場合、貨物搭載用端末１００にバッテリー１５０からの電力の供給を停止する旨の指示を電源回路１１０に送出する（この場合、後述する停止モードに設定される）。
【００３４】
通信部２４０は、電源回路１１０により貨物搭載用端末１００にバッテリー１５０からの電力が供給されており、かつ接続判断部２３０により貨物搭載用端末１００の充電ジャック１０２にＡＣアダプタ３００が接続されていないと判断された場合（後述する定期測位モードに設定されている場合）において、操作判断部２１０により利用者からのスライドスイッチ１０１の操作を受け付けたと判断された場合、貨物搭載用端末１００を携帯した利用者に異常が発生した旨を監視センタ４００に通報するものである。
【００３５】
ここで、監視センタとは、貨物搭載用端末１００からの異常が発生した旨の通報を受信した場合に、待機中の警備員に対して異常が発生した現場へ向かう旨の指示を出すとともに、必要に応じて警察や消防など関係機関への通報を行うセンタである。
【００３６】
設定部２５０は、貨物搭載用端末１００の状態を定めた設定モードを、ＲＡＭ１３０に保存することで、貨物搭載用端末１００の現在の設定モードを切替えて設定するものである。ここで、貨物搭載用端末１００の設定モードには、例えば、停止モード、待機モード、定期測位モードなどがある。
【００３７】
停止モードとは、貨物搭載用端末１００の各構成部に対して、電源回路１１０によりバッテリー１５０からの電力の供給が停止されている状態を示すモードである。この停止モードは、貨物搭載用端末１００の各構成部にバッテリー１５０からの電力の供給が停止されると、設定部２５０により、貨物搭載用端末１００の現在の設定モードとして設定される。そして、停止モードに設定されている場合に、利用者によるスライドスイッチ１０１の操作を受け付けると、ＡＣアダプタ３００が充電ジャック１０２に接続の可否に関わらず、貨物搭載用端末１００の各構成部に対してバッテリー１５０からの電力の供給が開始され、貨物搭載用端末１００の電源がＯＮになる。
【００３８】
また、待機モードとは、貨物搭載用端末１００の各構成部に対して、電源回路１１０によりバッテリー１５０からの電力が供給されている状態を示すモードである。この待機モードは、貨物搭載用端末１００の各構成部にバッテリー１５０からの電力の供給が開始されると、設定部２５０により、貨物搭載用端末１００の現在の設定モードとして設定される。そして、待機モードに設定されている場合に、利用者によるスライドスイッチ１０１の操作を受け付けると、貨物搭載用端末１００の各構成部に対してバッテリー１５０からの電力の供給が停止され、貨物搭載用端末１００の電源がＯＦＦになる。また、待機モードに設定されている場合であって、さらにＡＣアダプタ３００が非接続状態にされると、設定部２５０により、貨物搭載用端末１００の設定モードは後述する定期測位モードに切替えて設定されることになる。
【００３９】
また、定期測位モードとは、貨物搭載用端末１００の現在の位置情報（貨物搭載用端末１００を携帯する利用者の現在の位置情報）を取得する測位処理を行って、取得した位置情報を定期的に監視センタ４００に送信している状態を示すモードである。この定期測位モードは、貨物搭載用端末１００の各構成部にバッテリー１５０からの電力が供給され、かつＡＣアダプタ３００が非接触状態にされると、設定部２５０により、貨物搭載用端末１００の現在の設定モードとして設定される。そして、定期測位モードに設定されている場合に、利用者によるスライドスイッチ１０１の操作を受け付けると、通信部２４０により、貨物搭載用端末１００を携帯した利用者に異常が発生した旨を監視センタに通報する。また、定期測位モードに設定されている場合であって、さらにＡＣアダプタ３００が接続状態にされると、設定部２５０により、貨物搭載用端末１００の設定モードが待機モードに設定されることになる。
【００４０】
つまり、設定部２５０は、貨物搭載用端末１００にバッテリー１５０からの電力の供給が開始された場合、設定モードを、停止モードから待機モードに切替えて設定する。
【００４１】
また、設定部２５０は、貨物搭載用端末１００にバッテリー１５０からの電力が供給され、貨物搭載用端末１００にＡＣアダプタ３００が非接続状態にされた場合、設定モードを、待機モードから定期測位モードに切替えて設定する。
【００４２】
また、設定部２５０は、貨物搭載用端末１００にバッテリー１５０からの電力が供給され、貨物搭載用端末１００にＡＣアダプタ３００が接続状態にされた場合、設定モードを、定期測位モードから待機モードに切替えて設定する。
【００４３】
また、設定部２５０は、貨物搭載用端末１００にバッテリー１５０からの電力の供給が停止された場合、設定モードを、待機モードから停止モードに切替えて設定する。
【００４４】
ここで、貨物搭載用端末１００のＡＣアダプタ３００による充電とスライドスイッチ１０１との関係について述べると、貨物搭載用端末１００の電源をＯＮにした後に、貨物搭載用端末１００にＡＣアダプタ３００が接続されていることで外部電源から充電されている場合、スライドスイッチ１０１は、電源ＯＮ／ＯＦＦを切替えるために操作が行われるスイッチとなる。一方、貨物搭載用端末１００の電源をＯＮにした後に、貨物搭載用端末１００にＡＣアダプタ３００が接続されておらず外部電源から充電されていない場合、スライドスイッチ１０１は、貨物搭載用端末１００を携帯した利用者に異常が発生した旨を監視センタへ通報するために操作が行われるスイッチとなる。このように、本実施の形態の貨物搭載用端末１００は、ＡＣアダプタ３００を接続または非接続のいずれかの状態にすることにより、一つのスライドスイッチ１０１に対する操作で２つのスイッチとしての処理を行うことができる。
【００４５】
次に、貨物搭載用端末１００において、スライドスイッチ１０１からの操作を受け付けた場合の処理方法である、受付操作処理方法の流れについて説明する。図５は、実施の形態にかかる貨物搭載用端末における設定モード遷移の一例を示す図である。
【００４６】
図５に示すように、貨物搭載用端末１００の設定モードが停止モードに設定されている場合は、電源がＯＦＦになっている。そして、該停止モードに設定されている場合に、スライドスイッチ１０１からの操作を受け付けると、ＡＣアダプタ３００の接続・非接続に関わらず、貨物搭載用端末１００の電源がＯＮになり、貨物搭載用端末１００の設定モードは、停止モードから待機モードに切替えられて設定される（ステップＳ１）。
【００４７】
そして、貨物搭載用端末１００の設定モードが待機モードに設定されており、ＡＣアダプタ３００が非接続状態であった場合、貨物搭載用端末１００の設定モードは、待機モードから定期測位モードに切替えられて設定される（ステップＳ２）。これは、利用者が貨物搭載用端末１００を携帯中であると考えられる。
【００４８】
また、貨物搭載用端末１００の設定モードが定期測位モードに設定されている場合に、ＡＣアダプタ３００が非接続状態で、かつスライドスイッチ１０１からの操作を受け付けると、貨物搭載用端末１００に異常が発生した旨を監視センタへ通報する（ステップＳ３）。
【００４９】
一方、貨物搭載用端末１００の設定モードが定期測位モードに設定されている場合に、ＡＣアダプタ３００が接続状態にされると、貨物搭載用端末１００の設定モードは、定期測位モードから待機モードに切替えられて設定される（ステップＳ４）。
【００５０】
そして、貨物搭載用端末１００の設定モードが待機モードに設定されている場合に、ＡＣアダプタ３００が接続状態で、かつスライドスイッチ１０１からの操作を受け付けると、貨物搭載用端末１００の電源がＯＦＦになり、貨物搭載用端末１００の設定モードは、待機モードから停止モードに切替えられて設定される（ステップＳ５）。
【００５１】
図６は、実施の形態にかかる貨物搭載用端末における受付操作処理方法の流れを示すフローチャートである。まず、貨物搭載用端末１００は、設定モードが停止モードに設定されており、電源がＯＦＦになっている。
【００５２】
操作判断部２１０は、スライドスイッチ１０１の操作を受け付けたか否かを判断する（ステップＳ１０）。スライドスイッチ１０１の操作を受け付けていない場合（ステップＳ１０：Ｎｏ）、操作を受け付けるまで待機する。
【００５３】
一方、スライドスイッチ１０１の操作を受け付けた場合（ステップＳ１０：Ｙｅｓ）、電力制御部２２０は、貨物搭載用端末１００にバッテリー１５０からの電力の供給を開始して、貨物搭載用端末１００の電源をＯＮにする（ステップＳ１１）。そして、設定部２５０は、貨物搭載用端末１００の設定モードを、停止モードから待機モードに切替えて設定する（ステップＳ１２）。
【００５４】
次に、接続判断部２３０は、ＡＣアダプタ３００が接続状態か否かを判断する（ステップＳ１３）。ＡＣアダプタ３００が接続状態でない場合、すなわち非接続状態である場合（ステップＳ１３：Ｎｏ）、設定部２５０は、貨物搭載用端末１００の設定モードを、待機モードから定期測位モードに切替えて設定する（ステップＳ１４）。
【００５５】
そして、接続判断部２３０は、ＡＣアダプタ３００が接続状態か否かを判断する（ステップＳ１５）。ＡＣアダプタ３００が接続状態である場合（ステップＳ１５：Ｙｅｓ）、ステップＳ１２に戻って処理を繰り返す。
【００５６】
一方、ＡＣアダプタ３００が接続状態でない場合、すなわち非接続状態である場合、操作判断部２１０は、スライドスイッチ１０１の操作を受け付けたか否かを判断する（ステップＳ１６）。スライドスイッチ１０１の操作を受け付けていない場合（ステップＳ１６：Ｎｏ）、ステップＳ１５に戻って処理を繰り返す。
【００５７】
一方、スライドスイッチ１０１の操作を受け付けた場合（ステップＳ１６：Ｙｅｓ）、通信部２４０は、貨物搭載用端末１００を携帯した利用者に異常が発生した旨を監視センタへ通報する（ステップＳ１７）。そして、ステップＳ１５に戻って処理を繰り返す。
【００５８】
ステップＳ１３に戻り、ＡＣアダプタ３００が接続状態である場合（ステップＳ１３：Ｙｅｓ）、操作判断部２１０は、スライドスイッチ１０１の操作を受け付けたか否かを判断する（ステップＳ１８）。スライドスイッチ１０１の操作を受け付けていない場合（ステップＳ１８：Ｎｏ）、ステップＳ１３に戻って処理を繰り返す。
【００５９】
一方、スライドスイッチ１０１の操作を受け付けた場合（ステップＳ１８：Ｙｅｓ）、電力制御部２２０は、貨物搭載用端末１００へのバッテリー１５０からの電力の供給を停止して、貨物搭載用端末１００の電源をＯＦＦにする（ステップＳ１９）。そして、設定部２５０は、貨物搭載用端末１００の設定モードを、待機モードから停止モードに切替えて設定する（ステップＳ２０）。
【００６０】
このように、本実施の形態にかかる貨物搭載用端末１００では、電源をＯＮにした後に、貨物搭載用端末１００にＡＣアダプタ３００が接続されており外部電源から充電されている場合、スライドスイッチ１０１は、電源ＯＮ／ＯＦＦを切替える操作が行われるスイッチとなる。一方、電源をＯＮにした後に、貨物搭載用端末１００にＡＣアダプタ３００が接続されておらず外部電源から充電されていない場合、スライドスイッチ１０１は、貨物搭載用端末１００を携帯した利用者に異常が発生した旨を監視センタへ通報する操作が行われるスイッチとなる。つまり、本実施の形態にかかる貨物搭載用端末１００は、ＡＣアダプタ３００を接続または非接続のいずれかの状態にすることにより、一つのスライドスイッチ１０１に対する操作で２つのスイッチとしての処理を行うことができる。
【００６１】
従って、本実施の形態にかかる貨物搭載用端末１００は、電力の供給の開始および停止と利用者に異常が発生した旨の通報との２つの処理を行う一つのスライドスイッチ１０１が設けられており、貨物搭載用端末１００を携帯している場合は、スライドスイッチ１０１は、ＡＣアダプタ３００が非接続状態であるため、電源用のスイッチではなく、通報用のスイッチとなっている。このため、非常時に利用者が電源スイッチ等の他のスイッチを操作してしまうという誤操作を防止することができる。また、貨物搭載用端末１００の携帯時には、電源をＯＦＦにすることは不可能となるため、非常時に電源スイッチを操作して電力の供給が停止されることがない。また、電力の供給の開始および停止と異常が発生した旨の通報とを行うスライドスイッチ１０１が１つであるため、２つ（複数）のスイッチ（構成部品）を設ける必要がなく、製造コストを軽減できる。
【００６２】
また、本実施の形態の貨物搭載用端末では、設定モードとして、貨物搭載用端末の現在の位置情報を取得する測位処理を行って、取得した位置情報を定期的に監視センタに送信している状態を示す定期測位モードを設定可能な構成となっているが、これに限定されるものではない。すなわち、貨物搭載用端末において、監視センタからの要求があった場合に、貨物搭載用端末の現在の位置情報を取得する測位処理を行って、取得した位置情報を監視センタに送信する状態を示すモードを設定可能な構成としてもよい。
【００６３】
なお、本実施の形態の貨物搭載用端末で実行される受付操作処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６４】
さらに、本実施の形態の貨物搭載用端末で実行される受付操作処理プログラムを、インターネット等のネットワークに接続されたコンピュータ上に格納し、ネットワーク経由でダウンロードさせることにより提供するように構成しても良い。また、本実施の形態の貨物搭載用端末で実行される受付操作処理プログラムをインターネット等のネットワーク経由で提供または配布するように構成しても良い。
【図面の簡単な説明】
【００６５】
【図１】実施の形態にかかる貨物搭載用端末を利用した貨物警備システムの概要図である。
【図２−１】実施の形態にかかる貨物搭載用端末の正面図である。
【図２−２】実施の形態にかかる貨物搭載用端末の側面図である。
【図３】実施の形態にかかる貨物搭載用端末の構成図である。
【図４】実施の形態にかかる貨物搭載用端末の構成を示す機能ブロック図である。
【図５】実施の形態にかかる貨物搭載用端末における設定モード遷移の一例を示す図である。
【図６】実施の形態にかかる貨物搭載用端末における受付操作処理方法の流れを示すフローチャートである。
【符号の説明】
【００６６】
１００    貨物搭載用端末
１０１    スライドスイッチ
１０２    充電ジャック
１１０    電源回路
１２０    充電回路
１３０    ＲＡＭ
１４０    ＲＯＭ
１５０    バッテリー
１６０    ＣＰＵ
２１０    操作判断部
２２０    電力制御部
２３０    接続判断部
２４０    通信部
２５０    設定部
３００    ＡＣアダプタ
４００    監視センタ
５００    携帯型読取端末
【図１】
0005065926.tif 000002
【図２−１】
0005065926.tif 000003
【図２−２】
0005065926.tif 000004
【図３】
0005065926.tif 000005
【図４】
0005065926.tif 000006
【図５】
0005065926.tif 000007
【図６】
0005065926.tif 000008